(57)【要約】【課題】孔部を形成することなく、対象体に薬液を浸透させる。【解決手段】薬液浸透装置１０では、装置本体２０のベースプレート２２の内部に、後側へ開口された貯留部２２Ｂが形成されている。また、ベースプレート２２には、円筒状の第１容器支持部２４が一体に形成されており、第１容器支持部２４が貯留部２２Ｂと連通している。そして、薬液浸透装置１０を対象体Ｔに取付けた状態では、ベースプレート２２の取付面２２Ａが対象体Ｔの外周面に取付けられて、貯留部２２Ｂが対象体Ｔ側へ開口される。このため、薬液浸透装置１０を水平設置して、第１容器支持部２４の先端部に薬液容器ＭＣを取付けることで、薬液容器ＭＣ内の薬液が、第１容器支持部２４を介して貯留部２２Ｂ内に流入されて貯留部２２Ｂ内に貯留される。これにより、貯留部２２Ｂ内に貯留された薬液が対象体Ｔの外周部に直接接触して、対象体Ｔの内部に浸透する。【選択図】図１
2019216638.tif 000002
【特許請求の範囲】
【請求項１】
樹木や柱等の対象体に取付けられて薬液を対象体に浸透させるための薬液浸透装置であって、
前記対象体側へ開口された凹状に形成され、開口端面が前記対象体に取付けられる取付面として構成されると共に、内部が薬液を貯留する貯留部として構成されたベース部と、
前記ベース部に設けられ、前記貯留部の開口側とは反対側へ延出され且つ前記貯留部と連通された筒状を成すと共に、先端部に薬液容器が取付けられる第１容器支持部と、
を備えた薬液浸透装置。
【請求項２】
前記第１容器支持部の長手方向中間部には、前記第１容器支持部の径方向外側へ延出され且つ前記第１容器支持部の内部と連通された筒状の第２容器支持部が設けられており、
前記第１容器支持部の先端部及び第２容器支持部の先端部の一方に薬液容器が取付けられ、
前記第１容器支持部の先端部及び第２容器支持部の先端部の他方には、当該他方の開口部を閉塞するカバーが設けられている請求項１に記載の薬液浸透装置。
【請求項３】
前記第１容器支持部の長手方向中間部には、屈曲可能に構成されたフレキシブルパイプが設けられている請求項１に記載の薬液浸透装置。
【請求項４】
前記取付面には、前記対象体側へ開放された溝部が形成されており、
前記溝部内には、前記対象体と前記ベース部との間をシールするシール部が設けられている請求項１〜請求項３の何れか１項に記載の薬液浸透装置。
【請求項５】
前記取付面には、前記対象体と前記ベース部との間をシールし且つ表面が保護フィルムによって被覆されたシール部が設けられ、
前記保護フィルムは、前記保護フィルムを前記シール部から剥離させるための剥離機構を有しており、
前記剥離機構は、
前記保護フィルムの外周部から外側へ突出された把持部と、
前記保護フィルムに形成されて、前記把持部に隣接して配置されると共に、所定の荷重で破断される破断部と、
を含んで構成されている請求項１〜請求項３の何れか１項に記載の薬液浸透装置。
【請求項６】
前記ベース部を前記対象体に取付けるための長尺状の固定部材を備え、
前記固定部材は、
伸縮性を有する長尺状の紐状部材と、
前記紐状部材の長手方向両端部に設けられ、前記ベース部及び前記対象体に係止される係止部材と、
を含んで構成されている請求項１〜請求項５の何れか１項に記載の薬液浸透装置。
【発明の詳細な説明】
【技術分野】
【０００１】
本発明は、薬液浸透装置に関する。
【背景技術】
【０００２】
下記特許文献１には、樹木や柱に薬液を注入するための防除薬液注入具（薬液浸透装置）が開示されている。具体的には、防除薬液注入具は、薬液容器が着脱可能に連結された頭部と、頭部から延出された打込み軸部と、を有している。また、打込み軸部には、薬液容器とつながる貫通孔と、外部へ露出された孔が形成されている。そして、打込み軸部を樹木等に打込んで、薬液を樹木等に浸透させるようになっている。
【先行技術文献】
【特許文献】
【０００３】
【特許文献１】特開２００４−５７１９７号公報
【発明の概要】
【発明が解決しようとする課題】
【０００４】
しかしながら、上記防除薬液注入具では、以下に示す点において改善の余地がある。すなわち、上記防除薬液注入具では、上述のように、打込み軸部を樹木等に打込むため、樹木等に孔部が形成される。このため、樹木等に孔部を形成したくない場合には、上記防除薬液注入具を用いることができなくなる。また、樹木等に孔部を形成することで、樹木等の成長に影響を与える虞がある。したがって、薬液浸透装置では、樹木や柱等の対象体に対して、孔部を形成することなく、薬液を浸透させる構造にすることが望ましい。
【０００５】
本発明は、上記事実を考慮して、孔部を形成することなく、対象体に薬液を浸透させることができる薬液浸透装置を提供することを目的とする。
【課題を解決するための手段】
【０００６】
本発明の１又はそれ以上の実施形態は、樹木や柱等の対象体に取付けられて薬液を対象体に浸透させるための薬液浸透装置であって、前記対象体側へ開口された凹状に形成され、開口端面が前記対象体に取付けられる取付面として構成されると共に、内部が薬液を貯留する貯留部として構成されたベース部と、前記ベース部に設けられ、前記貯留部の開口側とは反対側へ延出され且つ前記貯留部と連通された筒状を成すと共に、先端部に薬液容器が取付けられる第１容器支持部と、を備えた薬液浸透装置である。
【０００７】
本発明の１又はそれ以上の実施形態は、前記第１容器支持部の長手方向中間部には、前記第１容器支持部の径方向外側へ延出され且つ前記第１容器支持部の内部と連通された筒状の第２容器支持部が設けられており、前記第１容器支持部の先端部及び第２容器支持部の先端部の一方に薬液容器が取付けられ、前記第１容器支持部の先端部及び第２容器支持部の先端部の他方には、当該他方の開口部を閉塞するカバーが設けられている薬液浸透装置である。
【０００８】
本発明の１又はそれ以上の実施形態は、前記第１容器支持部の長手方向中間部には、屈曲可能に構成されたフレキシブルパイプが設けられている薬液浸透装置である。
【０００９】
本発明の１又はそれ以上の実施形態は、前記取付面には、前記対象体側へ開放された溝部が形成されており、前記溝部内には、前記対象体と前記ベース部との間をシールするシール部が設けられている薬液浸透装置である。
【００１０】
本発明の１又はそれ以上の実施形態は、前記取付面には、前記対象体と前記ベース部との間をシールし且つ表面が保護フィルムによって被覆されたシール部が設けられ、前記保護フィルムは、前記保護フィルムを前記シール部から剥離させるための剥離機構を有しており、前記剥離機構は、前記保護フィルムの外周部から外側へ突出された把持部と、前記保護フィルムに形成されて、前記把持部に隣接して配置されると共に、所定の荷重で破断される破断部と、を含んで構成されている薬液浸透装置である。
【００１１】
本発明の１又はそれ以上の実施形態は、前記ベース部を前記対象体に取付けるための長尺状の固定部材を備え、前記固定部材は、伸縮性を有する長尺状の紐状部材と、前記紐状部材の長手方向両端部に設けられ、前記ベース部及び前記対象体に係止される係止部材と、を含んで構成されている薬液浸透装置である。
【発明の効果】
【００１２】
上記構成の薬液浸透装置によれば、孔部を形成することなく、対象体に薬液を浸透させることができる。
【図面の簡単な説明】
【００１３】
【図１】図１は、第１の実施の形態に係る薬液浸透装置を水平設置して、対象体に取付けた状態を示す側断面図である。
【図２】図２（Ａ）は、第１の実施の形態に係る薬液浸透装置を示す平面図であり、図２（Ｂ）は、薬液浸透装置を示す正面図であり、図２（Ｃ）は、薬液浸透装置を示す側面図であり、図２（Ｄ）は、薬液浸透装置を示す裏面図である。
【図３】図３は、図２に示される薬液浸透装置を示す側断面図（図２（Ｂ）の３−３線断面図）である。
【図４】図４は、図２に示される装置本体を示す斜視図である。
【図５】図５（Ａ）は、図２に示される薬液浸透装置を垂直設置した状態を説明するための説明図であり、図５（Ｂ）は、図２に示される薬液浸透装置を水平設置した状態を説明するための説明図である。
【図６】図６（Ａ）は、図２に示される薬液浸透装置を対象体に取付けた状態を示す平面図であり、図６（Ｂ）は、薬液浸透装置を対象体に取付けた状態を示す正面図である。
【図７】図７は、図２に示される薬液浸透装置を対象体に取付けた状態を示す側面図である。
【図８】図８は、第２の実施の形態に係る薬液浸透装置を示す側面図である。
【図９】図９（Ａ）は、図１に示されるシール部の変形例を示す側面図であり、図９（Ｂ）は、図９（Ａ）に示される保護フィルムを示す後側から見た裏面図である。
【発明を実施するための形態】
【００１４】
（第１の実施の形態）
以下、図１〜図７を用いて本実施の形態に係る薬液浸透装置１０について説明する。なお、図面において適宜示される矢印ＵＰ、矢印ＦＲ、矢印ＲＨは、それぞれ薬液浸透装置１０の上側、前側、右側（幅方向一方側）を示している。そして、以下の説明において、上下、前後、左右の方向を用いて説明するときには、特に断りのない限り、薬液浸透装置１０の上下、前後、左右を示すものとする。
【００１５】
図６及び図７に示されるように、薬液浸透装置１０は、樹木や柱等の対象体Ｔに取付けられて、対象体Ｔに薬液を浸透させる装置として構成されている。より詳しくは、薬液の入った薬液容器ＭＣを薬液浸透装置１０に取付けて、薬液容器ＭＣ内の薬液を、薬液浸透装置１０を介して対象体Ｔに浸透させるようになっている。
【００１６】
薬液浸透装置１０は、装置本体２０と、装置本体２０の第１容器支持部２４または第２容器支持部２６に取付けられるカバー４０と、取付状態の装置本体２０を対象体Ｔ側へ引き寄せるための一対の固定部材５０と、を含んで構成されている。以下、薬液浸透装置１０の各構成について説明する。
【００１７】
（装置本体２０について）
図２〜図４に示されるように、装置本体２０は、「ベース部」としてのベースプレート２２と、薬液容器ＭＣを支持するための第１容器支持部２４及び第２容器支持部２６と、を含んで構成されている。
【００１８】
＜ベースプレート２２について＞
ベースプレート２２は、前後方向を板厚方向とし且つ上下方向を長手方向とした略矩形板状に形成されている。このベースプレート２２の後面（板厚方向一方側の面）は、対象体Ｔに取付けられる取付面２２Ａとして構成されている。取付面２２Ａには、略中央部において、薬液を貯留するための貯留部２２Ｂが形成されている。この貯留部２２Ｂは、後側へ開口された凹状に形成されると共に、後側から見て、上下方向を長手方向とする略矩形状に形成されている。すなわち、ベースプレート２２が、後側（対象体Ｔ側）へ開口された凹状に形成されている。
【００１９】
また、ベースプレート２２の取付面２２Ａには、後側へ開放された溝部２２Ｃが形成されており、溝部２２Ｃは、ベースプレート２２の周方向全周に亘って形成されている。詳しくは、溝部２２Ｃは、後側から見て、略矩形枠状に形成されて、貯留部２２Ｂの外側に配置されている（図２（Ｄ）参照）。これにより、ベースプレート２２の取付面２２Ａは、溝部２２Ｃと貯留部２２Ｂとの間の内側取付面２２Ａ１と、取付面２２Ａの外周部を構成する外側取付面２２Ａ２と、によって構成されている。そして、内側取付面２２Ａ１が、外側取付面２２Ａ２よりも、若干後側に配置されている。
【００２０】
溝部２２Ｃ内には、シリコンゴムによって構成されたシール部３０（図３参照）が充填されており、シール部３０は、内側取付面２２Ａ１よりも後側へ膨出している。そして、薬液浸透装置１０が対象体Ｔに取付けられた状態では、シール部３０が対象体Ｔに密着されて、ベースプレート２２が対象体Ｔに取付けられると共に、ベースプレート２２と対象体Ｔとの間をシール部３０によってシールしている。
【００２１】
また、ベースプレート２２の外周部には、上下方向中間部において、左右一対の係止片２２Ｄが一体に形成されている。この係止片２２Ｄは、左右方向を板厚方向としてベースプレート２２から前側へ突出されると共に、ベースプレート２２の幅方向から見て略矩形状に形成されている。
【００２２】
＜第１容器支持部２４について＞
第１容器支持部２４は、前後方向を軸方向とした略円筒状に形成されて、ベースプレート２２の中央部から前側（ベースプレート２２の板厚方向他方側）へ延出されている。なお、第１容器支持部２４の後端部は貫通しており、第１容器支持部２４の内部とベースプレート２２の貯留部２２Ｂの内部とは連通している。
【００２３】
第１容器支持部２４の先端部（前端部）は、薬液容器ＭＣを取付けるための第１取付部２４Ａとして構成されている。そして、薬液容器ＭＣを第１取付部２４Ａ内に挿入して第１容器支持部２４に取付けることで、薬液容器ＭＣ内の薬液を、第１容器支持部２４を介してベースプレート２２の貯留部２２Ｂ内へ供給するようになっている。
【００２４】
＜第２容器支持部２６について＞
第２容器支持部２６は、上下方向（第１容器支持部２４の径方向）を軸方向とした略円筒状に形成されて、第１容器支持部２４の長手方向中間部から上側へ延出されている。また、第２容器支持部２６の内径と第１容器支持部２４の内径とが一致している。なお、第２容器支持部２６の下端部は貫通しており、第２容器支持部２６の内部と第１容器支持部２４の内部とは連通している。
【００２５】
第２容器支持部２６の先端部（上端部）は、薬液容器ＭＣを取付けるための第２取付部２６Ａとして構成されている。そして、薬液容器ＭＣを第２取付部２６Ａ内に挿入して、第２容器支持部２６に取付けることで、薬液容器ＭＣ内の薬液を、第２容器支持部２６及び第１容器支持部２４を介してベースプレート２２の貯留部２２Ｂ内へ供給するようになっている。
【００２６】
ここで、薬液浸透装置１０では、対象体Ｔの形態に応じて、垂直設置と水平設置の２種類の設置が可能に構成されている。具体的には、図５（Ａ）に示されるように、薬液浸透装置１０の垂直設置では、第２容器支持部２６が鉛直方向上側（図５（Ａ）の矢印Ｖ方向側）へ開口されるように、薬液浸透装置１０が設置されるようになっている。そして、薬液浸透装置１０の垂直設置では、第２容器支持部２６に薬液容器ＭＣが取付られて、薬液容器ＭＣ内の液体が第２容器支持部２６内を鉛直方向下方側へ落下するようになっている。
一方、図５（Ｂ）に示されるように、薬液浸透装置１０の水平設置では、第１容器支持部２４が鉛直方向上側（図５（Ａ）の矢印Ｖ方向側）へ開口されるように、薬液浸透装置１０が設置されるようになっている。そして、薬液浸透装置１０の水平設置では、第１容器支持部２４に薬液容器ＭＣが取付られて、薬液容器ＭＣ内の液体が第１容器支持部２４内を鉛直方向下方側へ落下するようになっている。
すなわち、薬液浸透装置１０の設置に応じて、第１容器支持部２４及び第２容器支持部２６の一方に、薬液容器ＭＣが取付られるようになっている。
【００２７】
（カバー４０について）
図２及び図３に示されるように、カバー４０は、有底円筒状に形成されており、カバー４０の底壁が略凸曲面状に湾曲されている。カバー４０の開口部における外周部には、段差部４０Ａが形成されており、段差部４０Ａは、カバー４０の周方向全周に亘って形成されている。そして、カバー４０の段差部４０Ａが、第１容器支持部２４及び第２容器支持部２６の他方（すなわち、薬液容器ＭＣが取付られていない第１容器支持部２４又は第２容器支持部２６）の開口部内に嵌入されて、カバー４０が、第１容器支持部２４及び第２容器支持部２６の他方の開口部を閉塞している（図２及び図３では、カバー４０を第１容器支持部２４に取付けた状態で図示している）。
【００２８】
（固定部材５０について）
図６及び図７に示されるように、固定部材５０は、長尺状の「紐状部材」としてのバンド５２と、バンド５２の長手方向両端部に設けられた一対の「係止部材」としの取付金具５４と、を含んで構成されている。バンド５２は、ゴム等の伸縮性のある部材で構成されて、長手方向に弾性変形可能に構成されている。取付金具５４は、金属の線材によって構成されて、略Ｖ字形状に屈曲されている。この取付金具５４の基端部には、略丸形状に屈曲されたバンド固定部５４Ａが形成されており、バンド固定部５４Ａにバンド５２の長手方向両端部が固定されている。また、取付金具５４の先端部は、取付金具５４の基端側へ折り返えされた一対のフック部５４Ｂが形成されている。
【００２９】
そして、バンド５２を長手方向に伸長させた状態で、取付金具５４のフック部５４Ｂを係止片２２Ｄ及び対象体Ｔに掛けることで、薬液浸透装置１０が、バンド５２の張力によって、対象体Ｔ側へ引き寄せられた状態で、対象体Ｔに取付けられるようになっている。
【００３０】
（作用及び効果）
次に、本実施の形態の作用及び効果について説明する。
【００３１】
上記のように構成された薬液浸透装置１０では、装置本体２０におけるベースプレート２２が後方側へ開口された凹状に形成されている。そして、ベースプレート２２の開口端面が取付面２２Ａとして構成されており、ベースプレート２２の内部には、後側へ開口された貯留部２２Ｂが形成されている。また、ベースプレート２２には、円筒状の第１容器支持部２４が一体に形成されており、第１容器支持部２４が貯留部２２Ｂと連通している。そして、薬液浸透装置１０を対象体Ｔに取付けた状態では、ベースプレート２２の取付面２２Ａが対象体Ｔの外周面に取付けられて、貯留部２２Ｂが対象体Ｔ側へ開口される。このため、例えば、図１に示されるように、薬液浸透装置１０を水平設置して、第１容器支持部２４の先端部に薬液容器ＭＣを取付けることで、薬液容器ＭＣ内の薬液Ｍが、第１容器支持部２４を介して貯留部２２Ｂ内に流入されて貯留部２２Ｂ内に貯留される。これにより、貯留部２２Ｂ内に貯留された薬液Ｍが対象体Ｔの外周部に直接接触して、対象体Ｔの内部に浸透する。したがって、背景技術に記載したような対象体Ｔに孔部を形成することなく、対象体Ｔに薬液Ｍを浸透させることができる。
【００３２】
また、ベースプレート２２は矩形板状に形成されており、ベースプレート２２に薬液Ｍを貯留する貯留部２２Ｂが形成されている。そして、貯留部２２Ｂが、後側へ開放された凹状に形成されると共に、後側から見て矩形状に形成されている。このため、後側から見た、貯留部２２Ｂの面積を比較的大きく設定することができる。つまり、対象体Ｔにおける薬液Ｍと接触する面積を比較的大きく設定することができる。これにより、対象体Ｔに対して薬液Ｍを効果的に浸透させることができる。
【００３３】
また、装置本体２０における第１容器支持部２４には、長手方向中間部において、第２容器支持部２６が設けられている。第２容器支持部２６は、第１容器支持部２４の径方向外側へ延出された筒状を成しており、第１容器支持部２４の内部と第２容器支持部２６の内部とが連通されている。すなわち、第１容器支持部２４及び第２容器支持部２６の軸方向が直交した状態で、両者が接続されている。このため、対象体Ｔの形態に応じて、薬液浸透装置１０を水平設置又は垂直設置して、薬液Ｍを貯留部２２Ｂ内に良好に供給させることができる。
【００３４】
すなわち、薬液浸透装置１０を水平設置では、第１容器支持部２４の開口部が鉛直方向上側へ向くように薬液浸透装置１０を配置して、第１容器支持部２４に薬液容器ＭＣを取付けることで、薬液容器ＭＣ内の薬液Ｍを、鉛直方向下方側へ落下させて、貯留部２２Ｂ内に良好に供給させることができる。一方、薬液浸透装置１０を垂直設置では、第２容器支持部２６の開口部が垂直方向上側へ向くように薬液浸透装置１０を配置して、第２容器支持部２６に薬液容器ＭＣを取付けることで、薬液容器ＭＣ内の薬液Ｍを、鉛直方向下方側へ落下させて、貯留部２２Ｂ内に良好に供給させることができる。以上により、対象体Ｔの形態に応じて、薬液浸透装置１０を水平設置又は垂直設置して、薬液を貯留部２２Ｂ内に良好に供給させることができる。
【００３５】
また、薬液浸透装置１０は、カバー４０を有しており、カバー４０が、薬液容器ＭＣの取付られていない第１容器支持部２４又は第２容器支持部２６に取付けられている。このため、薬液浸透装置１０の設置において、使用していない第１容器支持部２４又は第２容器支持部２６から薬液Ｍが漏れることを防止又は抑制することができる。
【００３６】
また、ベースプレート２２の溝部２２Ｃ内にはシール部３０が設けられており（充填されており）、シール部３０がシリコンゴムによって構成されている。これにより、シール部３０を対象体Ｔに密着させて、薬液浸透装置１０を対象体Ｔに取付けることができる。また、薬液浸透装置１０の対象体Ｔへの取付状態では、シール部３０によってベースプレート２２と対象体Ｔとの間がシールされる。このため、薬液浸透装置１０を対象体Ｔに取付けた状態における、貯留部２２Ｂ内の気密性を向上することができる。
【００３７】
また、薬液浸透装置１０を対象体Ｔに取付けるための固定部材５０が、伸縮性を有するバンド５２と、バンド５２の長手方向両端部に設けられた一対の取付金具５４と、を有している。このため、バンド５２を伸長させた状態で、一方の取付金具５４のフック部５４Ｂを、装置本体２０の係止片２２Ｄに係止させ、他方の取付金具５４のフック部５４Ｂを対象体Ｔに係止させることで、バンド５２の張力によって、ベースプレート２２を対象体Ｔ側へ引き寄せることができる。これにより、ベースプレート２２の取付面２２Ａを対象体Ｔに一層良好に密着させることができると共に、薬液浸透装置１０の取付状態を良好に維持することができる。
【００３８】
なお、第１の実施の形態では、薬液浸透装置１０が水平設置及び垂直設置可能に構成されているが、薬液浸透装置１０を水平設置専用の装置又は垂直設置専用の装置として構成してもよい。例えば、薬液浸透装置１０を水平設置専用の装置とする場合には、装置本体２０の第２容器支持部２６及びカバー４０を省略してもよい。また、例えば、薬液浸透装置１０を垂直設置専用の装置とする場合には、第１容器支持部２４の開口部を閉塞すると共に、カバー４０を省略してもよい。
【００３９】
（第２の実施の形態）
以下、図８を用いて、第２の実施の形態の薬液浸透装置１００について説明する。薬液浸透装置１００は、以下に示す点を除いて第１の実施の形態の薬液浸透装置１０と同様に構成されている。なお、図８では、第１の実施の形態と同様に構成された部材には、同一の符号を付している。また、図８では、便宜上、装置本体２０の係止片２２Ｄ、及び固定部材５０を図示省略している。
【００４０】
薬液浸透装置１００では、装置本体２０において、第１の実施の形態の第２容器支持部２６及びカバー４０が省略されている。また、薬液浸透装置１００では、装置本体２０における第１容器支持部２４の長手方向中間部にフレキシブルパイプ２４Ｂが設けられており、第１容器支持部２４の基端部と先端部とが、連通された状態で、フレキシブルパイプ２４Ｂによって連結されている。このフレキシブルパイプ２４Ｂは、略円筒状を成す蛇腹パイプ状に形成され、屈曲自在及び伸縮に構成されている。そして、フレキシブルパイプ２４Ｂを屈曲及び伸縮させることで、第１容器支持部２４の姿勢や長さを変更し、第１容器支持部２４の変更した姿勢をフレキシブルパイプ２４Ｂによって維持するようになっている。
【００４１】
そして、第２の実施の形態においても、薬液浸透装置１００を水平設置して、第１容器支持部２４の先端部に薬液容器ＭＣを取付けることで、薬液容器ＭＣ内の薬液Ｍが、第１容器支持部２４を介してベースプレート２２の貯留部２２Ｂ内に流入されて、貯留部２２Ｂ内に貯留される。これにより、貯留部２２Ｂ内に貯留された薬液Ｍが対象体Ｔの外周部に直接接触して、対象体Ｔの内部に浸透する。したがって、第２の実施の形態においても、第１の実施の形態と同様に、対象体Ｔに孔部を形成することなく、対象体Ｔに薬液Ｍを浸透させることができる。
【００４２】
また、第２の実施の形態では、第１容器支持部２４の長手方向中間部にフレキシブルパイプ２４Ｂが設けられている。このため、薬液浸透装置１００を垂直設置した場合や鉛直方向に対して傾斜した対象物Ｔに薬液浸透装置１００を取付けた場合でも、第１容器支持部２４を介して貯留部２２Ｂ内に流入させることができる。すなわち、この場合には、第１容器支持部２４の先端開口部を鉛直方向上側へ向けるように、フレキシブルパイプ２４Ｂを屈曲や伸縮させることで、第１容器支持部２４に取付けられた薬液容器ＭＣ内の薬液Ｍを、第１容器支持部２４を介して貯留部２２Ｂ内に流入させることができる。したがって、第２の実施の形態では、薬液浸透装置１００における種々の取付姿勢に対応して、第１容器支持部２４に取付けられた薬液容器ＭＣの位置や姿勢を変更して、対象物Ｔに薬液Ｍを供給することができる。
【００４３】
なお、第１の実施の形態及び第２の実施の形態では、ベースプレート２２の溝部２２Ｃにシリコンゴムによって構成されたシール部３０が充填されているが、シール部３０の構成はこれに限らない。例えば、ゴムやエラストマ等の弾性体によって構成されたシート材を溝部２２Ｃ内に設けてもよい。また、ベースプレート２２におけるシール部３０を省略して、溝部２２Ｃ内を真空状態にすることで、ベースプレート２２を対象体に密着させてもよい。この場合には、例えば、ベースプレート２２に、溝部２２Ｃの内部とベースプレート２２の外部とを連通する連通孔を形成する。そして、真空装置等によって当該連通孔から空気を排出して、溝部２２Ｃ内を真空状態にしてもよい。また、この場合には、ベースプレート２２の内側取付面２２Ａ１と外側取付面２２Ａ２とを面一に配置してもよい。
【００４４】
また、第１の実施の形態及び第２の実施の形態では、上述のように、シール部３０がベースプレート２２の溝部２２Ｃに設けられているが、シール部３０を、ベースプレート２２の取付面２２Ａに設けてもよい。この場合には、シール部３０の表面に保護フィルムを貼りつけて、シール部３０を保護フィルムによって保護するように構成してもよい。そして、この場合には、使用者によって保護フィルムをシール部３０から剥離させてから、シール部３０を対象物に取付けるため、保護フィルムをシール部３０から容易に剥離させるための剥離機構を、保護フィルムに設けてもよい。以下、保護フィルムの剥離機構について、第１の実施の形態の薬液浸透装置１０を用いて説明する。
【００４５】
図９に示されるように、上記の場合には、シール部３０が、ベースプレート２２の取付面２２Ａ（内側取付面２２Ａ１及び外側取付面２２Ａ２）上に設けられている。すなわち、ベースプレート２２の溝部２２Ｃには、シール部３０が設けられていない。そして、シール部３０の表面（後面）には、保護フィルム６０が貼り付けられている（図９（Ａ）では、便宜上、保護フィルム６０の厚みを誇張して図示している）。この保護フィルム６０は、略矩形枠状を成すシート状に形成されて、一例として樹脂製とされている。また、保護フィルム６０は、後側から見て、ベースプレート２２の取付面２２Ａとラップして配置されている。つまり、ベースプレート２２の溝部２２Ｃの開口部が、保護フィルム６０によって閉塞されると共に、ベースプレート２２の貯留部２２Ｂが後側へ露出されている。
【００４６】
そして、保護フィルム６０は、保護フィルム６０をシール部３０から剥離させるための剥離機構６２を有している。この剥離機構６２は、保護フィルム６０に形成された「破断部」としての第１破断部６４と、３箇所の第２破断部６６と、を有している。
【００４７】
第１破断部６４は、ベースプレート２２における溝部２２Ｃの右下角部に対応する位置に形成されている。この第１破断部６４は、保護フィルム６０の厚み方向から見て、溝部２２Ｃの幅方向内側の側面に沿って形成された略Ｌ字形状の内側ミシン目６４Ａと、内側ミシン目６４Ａに対して右側に配置され且つ左右方向において内側ミシン目６４Ａと対称に構成された第１外側ミシン目６４Ｂと、内側ミシン目６４Ａに対して下側に配置され且つ左右方向に延在された第２外側ミシン目６４Ｃと、を含んで構成されている。そして、左右方向における内側ミシン目６４Ａと第１外側ミシン目６４Ｂとの間の距離、及び上下方向における内側ミシン目６４Ａと第２外側ミシン目６４Ｃとの間の距離が、溝部２２Ｃの溝幅と略同じに設定されている。また、第１外側ミシン目６４Ｂ及び第２外側ミシン目６４Ｃの一端部が、保護フィルム６０の右側の外周縁に隣接して配置されており、第１破断部６４に所定値以上のせん断荷重が付与されると、第１破断部６４が破断するようになっている。
【００４８】
第２破断部６６は、溝部２２Ｃにおける右下以外の３箇所の角部に対応する位置にそれぞれ形成されている。この第２破断部６６は、保護フィルム６０の厚み方向から見て、溝部２２Ｃの幅方向内側の側面に沿って形成された略Ｌ字形状の内側ミシン目６６Ａと、溝部２２Ｃの幅方向外側の側面に沿って形成された略Ｌ字形状の外側ミシン目６６Ｂと、を含んで構成されている。これにより、内側ミシン目６６Ａと外側ミシン目６６Ｂとの間の距離が、溝部２２Ｃの溝幅と略同じに設定されている。そして、第２破断部６６に所定値以上のせん断荷重が付与されると、第２破断部６６が破断するようになっている。
【００４９】
また、剥離機構６２は、保護フィルム６０をシール部３０から剥離させるときに、使用者によって把持される把持部６８を有している。この把持部６８は、第１破断部６４の右側の位置において、保護フィルム６０の外周部から右側へ突出されている。把持部６８は、保護フィルム６０の厚み方向から見て、略矩形状に形成されており、把持部６８の上下寸法が、溝部２２Ｃの溝幅と略同じに設定されている。そして、把持部６８が、第１破断部６４における第１外側ミシン目６４Ｂ及び第２外側ミシン目６４Ｃの一端部の右側に隣接して配置されている。
【００５０】
そして、使用者が、把持部６８を把持して持上げると、第１破断部６４にせん断荷重が作用する。そして、第１破断部６４に作用するせん断荷重が所定値以上になると、第１破断部６４が、第１外側ミシン目６４Ｂの一端部及び第２外側ミシン目６４Ｃの一端部を起点として破断して、第１破断部６４の下部が、保護フィルム６０から切り離される。そして、把持部６８を左側へ移動させることで、保護フィルム６０の一部が、第１破断部６４の下部を先端部とした左右方向に延びる帯状に切り離される。
【００５１】
そして、保護フィルム６０における保護フィルム６０から切り離された部分の基端部（切り離し部）が、左下の第２破断部６６に到達すると、上述と同様に、第２破断部６６の内側ミシン目６６Ａ及び外側ミシン目６６Ｂが破断して、保護フィルム６０の切り離し部の切り離し方向が、上側へ変更される。つまり、保護フィルム６０の切り離し部が、保護フィルム６０（すなわち、溝部２２Ｃ）の周方向に沿って切り離されていく。そして、保護フィルム６０の切り離し部が、左上の第２破断部６６、右上の第２破断部６６の順に到達する度に、保護フィルム６０における切り離し部の切り離し方向が、変更されて、最終的に第１破断部６４の上部が破断される。これにより、保護フィルム６０の幅方向中間部が、矩形環状に切り貫かれて、溝部２２Ｃが開口する。よって、使用者が、溝部２２Ｃ内に指を入れて、残りの保護フィルム６０をシール部３０から剥離させることができる。
【００５２】
以上により、保護フィルム６０を容易にシール部３０から剥離させることができる。また、上記の構成では、シール部３０の表面が保護フィルム６０によって被覆されているため、ベースプレート２２にシール部３０を予め設けた状態の薬液浸透装置１０，１００を提供することができる。これにより、例えば、使用者においてシール部３０を溝部２２Ｃ内に充填させる作業が必要なくなる。よって、当該作業中にシール部３０が使用者の手等に付着することを回避することができると共に、使用者に対する利便性を向上することができる。
【００５３】
なお、上記の保護フィルム６０の剥離機構６２では、４箇所の破断部（第１破断部６４及び第２破断部６６）を含んで構成されているが、剥離機構６２における破断部の個数や位置は任意に設定可能である。
【００５４】
また、第１の実施の形態及び第２の実施の形態では、ベースプレート２２に係止片２２Ｄが形成されているが、ベースプレート２２において、係止片２２Ｄを省略してもよい。この場合は、例えば、固定部材５０を、伸縮性を有する無端ベルトによって構成して、無端ベルトを薬液浸透装置１０（ベースプレート２２）及び対象体Ｔに巻き付けて両者を固定してもよい。
【００５５】
また、第１の実施の形態及び第２の実施の形態では、装置本体２０及びカバー４０の材質は特に規定していないが、装置本体２０及びカバー４０を樹脂や金属によって構成してもよい。また、装置本体２０及びカバー４０を樹脂によって構成する場合には、薬液浸透装置１０の全体の軽量化を図ることができるため、この場合には、薬液浸透装置１０において、固定部材５０を省略してもよい。
【符号の説明】
【００５６】
１０          薬液浸透装置
２２          ベースプレート（ベース部）
２２Ａ        取付面
２２Ｂ        貯留部
２２Ｃ        溝部
２４          第１容器支持部
２４Ｂ        フレキシブルパイプ
２６          第２容器支持部
３０          シール部
４０          カバー
５０          固定部材
５２          バンド（紐状部材）
５４          取付金具（係止部材）
６０          保護フィルム
６２          剥離機構
６４          第１破断部（破断部）
６８          把持部
ＭＣ          薬液容器
Ｔ            対象体
【図１】
2019216638.tif 000003
【図２】
2019216638.tif 000004
【図３】
2019216638.tif 000005
【図４】
2019216638.tif 000006
【図５】
2019216638.tif 000007
【図６】
2019216638.tif 000008
【図７】
2019216638.tif 000009
【図８】
2019216638.tif 000010
【図９】
2019216638.tif 000011
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
樹木や柱を対象体として前記対象体に取付けられて薬液を対象体に浸透させるための薬液浸透装置であって、
前記対象体側へ開口された凹状に形成され、開口端面が前記対象体に取付けられる取付面として構成されると共に、内部が薬液を貯留する貯留部として構成されたベース部と、
前記ベース部に設けられ、前記貯留部の開口側とは反対側へ延出され且つ前記貯留部と連通された筒状を成すと共に、先端部に薬液容器が取付けられる第１容器支持部と、
を備えた薬液浸透装置。
【請求項２】
前記第１容器支持部の長手方向中間部には、前記第１容器支持部の径方向外側へ延出され且つ前記第１容器支持部の内部と連通された筒状の第２容器支持部が設けられており、
前記第１容器支持部の先端部及び第２容器支持部の先端部の一方に薬液容器が取付けられ、
前記第１容器支持部の先端部及び第２容器支持部の先端部の他方には、当該他方の開口部を閉塞するカバーが設けられている請求項１に記載の薬液浸透装置。
【請求項３】
前記第１容器支持部の長手方向中間部には、屈曲可能に構成されたフレキシブルパイプが設けられている請求項１に記載の薬液浸透装置。
【請求項４】
前記取付面には、前記対象体側へ開放された溝部が形成されており、
前記溝部内には、前記対象体と前記ベース部との間をシールするシール部が設けられている請求項１〜請求項３の何れか１項に記載の薬液浸透装置。
【請求項５】
前記取付面には、前記対象体と前記ベース部との間をシールし且つ表面が保護フィルムによって被覆されたシール部が設けられ、
前記保護フィルムは、前記保護フィルムを前記シール部から剥離させるための剥離機構を有しており、
前記剥離機構は、
前記保護フィルムの外周部から外側へ突出された把持部と、
前記保護フィルムに形成されて、前記把持部に隣接して配置されると共に、所定の荷重で破断される破断部と、
を含んで構成されている請求項１〜請求項３の何れか１項に記載の薬液浸透装置。
【請求項６】
前記ベース部を前記対象体に取付けるための長尺状の固定部材を備え、
前記固定部材は、
伸縮性を有する長尺状の紐状部材と、
前記紐状部材の長手方向両端部に設けられ、前記ベース部及び前記対象体に係止される係止部材と、
を含んで構成されている請求項１〜請求項５の何れか１項に記載の薬液浸透装置。
【手続補正２】
【補正対象書類名】明細書
【補正対象項目名】０００６
【補正方法】変更
【補正の内容】
【０００６】
本発明の１又はそれ以上の実施形態は、樹木や柱を対象体として前記対象体に取付けられて薬液を対象体に浸透させるための薬液浸透装置であって、前記対象体側へ開口された凹状に形成され、開口端面が前記対象体に取付けられる取付面として構成されると共に、内部が薬液を貯留する貯留部として構成されたベース部と、前記ベース部に設けられ、前記貯留部の開口側とは反対側へ延出され且つ前記貯留部と連通された筒状を成すと共に、先端部に薬液容器が取付けられる第１容器支持部と、を備えた薬液浸透装置である。
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
樹木や柱を対象体として前記対象体に取付けられて薬液を対象体に浸透させるための薬液浸透装置であって、
前記対象体側へ開口された凹状に形成され、開口端面が前記対象体に取付けられる取付面として構成されると共に、内部が薬液を貯留する貯留部として構成されたベース部と、
前記ベース部に設けられ、前記貯留部の開口側とは反対側へ延出され且つ前記貯留部と連通された筒状を成すと共に、先端部に薬液容器が取付けられる第１容器支持部と、
を備え、
前記第１容器支持部の長手方向中間部には、前記第１容器支持部の径方向外側へ延出され且つ前記第１容器支持部の内部と連通された筒状の第２容器支持部が設けられており、
前記第１容器支持部の先端部及び第２容器支持部の先端部の一方に薬液容器が取付けられ、
前記第１容器支持部の先端部及び第２容器支持部の先端部の他方には、当該他方の開口部を閉塞するカバーが設けられている薬液浸透装置。
【請求項２】
前記第１容器支持部の長手方向中間部には、屈曲可能に構成されたフレキシブルパイプが設けられている請求項１に記載の薬液浸透装置。
【請求項３】
前記取付面には、前記対象体側へ開放された溝部が形成されており、
前記溝部内には、前記対象体と前記ベース部との間をシールするシール部が設けられている請求項１〜請求項２の何れか１項に記載の薬液浸透装置。
【請求項４】
前記取付面には、前記対象体と前記ベース部との間をシールし且つ表面が保護フィルムによって被覆されたシール部が設けられ、
前記保護フィルムは、前記保護フィルムを前記シール部から剥離させるための剥離機構を有しており、
前記剥離機構は、
前記保護フィルムの外周部から外側へ突出された把持部と、
前記保護フィルムに形成されて、前記把持部に隣接して配置されると共に、所定の荷重で破断される破断部と、
を含んで構成されている請求項１〜請求項２の何れか１項に記載の薬液浸透装置。
【請求項５】
前記ベース部を前記対象体に取付けるための長尺状の固定部材を備え、
前記固定部材は、
伸縮性を有する長尺状の紐状部材と、
前記紐状部材の長手方向両端部に設けられ、前記ベース部及び前記対象体に係止される係止部材と、
を含んで構成されている請求項１〜請求項４の何れか１項に記載の薬液浸透装置。
【手続補正２】
【補正対象書類名】明細書
【補正対象項目名】０００６
【補正方法】変更
【補正の内容】
【０００６】
本発明の１又はそれ以上の実施形態は、樹木や柱を対象体として前記対象体に取付けられて薬液を対象体に浸透させるための薬液浸透装置であって、前記対象体側へ開口された凹状に形成され、開口端面が前記対象体に取付けられる取付面として構成されると共に、内部が薬液を貯留する貯留部として構成されたベース部と、前記ベース部に設けられ、前記貯留部の開口側とは反対側へ延出され且つ前記貯留部と連通された筒状を成すと共に、先端部に薬液容器が取付けられる第１容器支持部と、を備え、前記第１容器支持部の長手方向中間部には、前記第１容器支持部の径方向外側へ延出され且つ前記第１容器支持部の内部と連通された筒状の第２容器支持部が設けられており、前記第１容器支持部の先端部及び第２容器支持部の先端部の一方に薬液容器が取付けられ、前記第１容器支持部の先端部及び第２容器支持部の先端部の他方には、当該他方の開口部を閉塞するカバーが設けられている薬液浸透装置である。
【手続補正３】
【補正対象書類名】明細書
【補正対象項目名】０００７
【補正方法】削除
【補正の内容】